(57)【要約】【課題】装着の簡便性を満たしながら装着後に外れる危険性を防止できる同軸コネクタを提供すること。【解決手段】同軸ケーブル１０の端部から突出した芯線１１を保持し、編組１３を前記同軸ケーブルの被覆１４上に折り返した状態で前記同軸ケーブルを中心位置に保持するシェル１１０、このシェルを前記同軸ケーブルの軸方向に固定するカバー３００を有する同軸コネクタ２０において、内周面に接栓座３０のネジ溝と螺合するネジ溝が設けられ、外周面の端部にテーパ状部２１２が形成され、かつ先端側から基端側に向けて軸方向に延びる複数のスリット２１１が設けられ、開放端が径方向に収縮し得るように前記シェルの外周に嵌装される外部コンタクト２１０と、内周面に前記外部コンタクトの前記スリットに嵌入されるリブ２２３を有し、前記外部コンタクトの外周に嵌装されて前記外部コンタクトの外周上を軸方向に摺動して前記外部コンタクトのテーパ状部を径方向内方に押圧し径方向に収縮させ得るロックナット２２０と、をそなえたことを特徴とする同軸コネクタ。【選択図】図５
2012234726.tif 000002
【特許請求の範囲】
【請求項１】
同軸ケーブルの端部から突出した芯線を保持し、編組を前記同軸ケーブルの被覆上に折り返した状態で前記同軸ケーブルを中心位置に保持するシェル、このシェルを前記同軸ケーブルの軸方向に固定するカバーを有する同軸コネクタにおいて、
内周面に接栓座のネジ溝と螺合するネジ溝が設けられ、外周面の端部にテーパ状部が形成され、かつ先端側から基端側に向けて軸方向に延びる複数のスリットが設けられ、開放端が径方向に収縮し得るように前記シェルの外周に嵌装される外部コンタクトと、
内周面に前記外部コンタクトの前記スリットに嵌入されるリブを有し、前記外部コンタクトの外周に嵌装されて前記外部コンタクトの外周上を軸方向に摺動して前記外部コンタクトのテーパ状部を径方向内方に押圧し径方向に収縮させ得るロックナットと、
をそなえたことを特徴とする同軸コネクタ。
【請求項２】
請求項1記載の同軸コネクタにおいて、
前記ロックナットは、外周面に軸方向の作用力を与えるための鍔を有することを特徴とする同軸コネクタ。
【請求項３】
請求項１記載の同軸コネクタにおいて、
前記ロックナットは、外周面に回転方向の作用力を与えるための凹凸部が設けられたことを特徴とする同軸コネクタ。
【請求項４】
請求項１記載の同軸コネクタにおいて、
前記外部コンタクトの内径が接栓座の外径よりも小さいことを特徴とする同軸コネクタ。
【発明の詳細な説明】
【技術分野】
【０００１】
本発明は、同軸コネクタに係わり、とくに簡単な操作で挿脱できる同軸コネクタに関する。
【背景技術】
【０００２】
同軸コネクタは、例えばＦ型コネクタのように、基本的にはネジ込み操作によって接栓座に装着、固定するものが多い。この種のコネクタでは、１つのコネクタを装着するにもワンタッチあるいは簡単な操作で済ませることができない。このため、多数の同軸コネクタを繋ぎ込んだり外したりする場合に作業量が膨大であり、改善策が求められていた。
【０００３】
そこで、従来、例えば特許文献１とか特許文献２に示すような同軸コネクタが提供されている。
【先行技術文献】
【特許文献】
【０００４】
【特許文献１】実用新案登録第3101258号公報
【特許文献２】特開2010-257936号公報
【発明の概要】
【発明が解決しようとする課題】
【０００５】
しかしながら、上記特許文献の何れに記載のものも接栓座に装着する際の作業の簡単性は満足するものの、接続後に抜け易い傾向があり、信頼性に欠けるものである。よくあるのは同軸ケーブルに間断なく引っ張り力が作用する場合であり、これは接続が断たれるため大きな支障が生じる。
【０００６】
本発明は上述の点を考慮してなされたもので、装着の簡便性を満たしながら装着後に外れる危険性を防止できる同軸コネクタを提供することを目的とする。
【課題を解決するための手段】
【０００７】
上記目的達成のため、本発明では、
同軸ケーブルの端部から突出した芯線を保持し、編組を前記同軸ケーブルの被覆上に折り返した状態で前記同軸ケーブルを中心位置に保持するシェル、このシェルを前記同軸ケーブルの軸方向に固定するカバーを有する同軸コネクタにおいて、
内周面に接栓座のネジ溝と螺合するネジ溝が設けられ、外周面の端部にテーパ状部が形成され、かつ先端側から基端側に向けて軸方向に延びる複数のスリットが設けられ、開放端が径方向に収縮し得るように前記シェルの外周に嵌装される外部コンタクトと、
内周面に前記外部コンタクトの前記スリットに嵌入されるリブを有し、前記外部コンタクトの外周に嵌装されて前記外部コンタクトの外周上を軸方向に摺動して前記外部コンタクトのテーパ状部を径方向内方に押圧し径方向に収縮させ得るロックナットと、
をそなえたことを特徴とする同軸コネクタ、
を提供する。
【発明の効果】
【０００８】
本発明は上述のように、同軸ケーブルを保持するシェルの外周に、収縮させることにより接栓座に螺合する外部コンタクトを嵌装し、さらにその外周にロックナットを嵌装してロックナットを軸方向に押し外部コンタクトを収縮させ、かつ一体的に回転して接栓座と同軸コネクタとのネジ同士による締込みを行なうようにしたため、接栓座に容易に差し込めてしかも簡単、確実に接栓座への締込みができる。
【図面の簡単な説明】
【０００９】
【図１】本発明の一実施例の外観を示す透視図。
【図２】図１に示した実施例の一部破断透視図。
【図３】図１に示した実施例の要素分解透視図。
【図４】図１に示した実施例の端面図。
【図５】図５(a)，(b)は、図1に示した実施例を接栓座に挿抜するときおよび接栓座に接続したときの状態を示す部分断面図。
【図６】図6(a)，(b)は、大径ケーブルを対象とする実施例の、接栓座に挿抜するときおよび接栓座に接続したときの状態を示す部分断面図。
【発明を実施するための形態】
【００１０】
以下、添付図面を参照して本発明の実施の形態を説明する。
【実施例１】
【００１１】
図1は、本発明の一実施例の外観を示す透視図であり、この構造自体は、一般的な同軸コネクタとほぼ同様の形状をしている。
【００１２】
すなわち、この場合１．９Cケーブルを用いているが、同軸ケーブル１０の端部に同軸コネクタ２０が装着されており、図示左端部に同軸コネクタ２０の中心導体１０２が見え、その周囲を取り巻くように同軸コネクタ２０のネジ溝が、また同軸コネクタ２０の基端側に、好ましくは樹脂製のカバー３００が設けられている。
【００１３】
そして、同軸コネクタ２０の図示左端外周に、本発明に係る外部コンタクト２１０およびロックナット２２０が嵌装されている。これらは共に金属製であることが好ましく、外部コンタクト２１０は、図示しない接栓座に同軸コネクタ２０を接続するための要素であり、内周にスリット付きのネジ溝を、図示左側の外周面にテーパ状部を持っており、同軸コネクタ２０に回転可能に支持されていて接栓座にネジ込み可能であり、またスリットの幅を利用して径方向に収縮し得る。
【００１４】
一方、ロックナット２２０は、同軸コネクタ２０の軸方向に移動可能に支持されており、図示左方向に押し出されて外部コンタクト２１０の図示左端外周面のテーパ状部を押して径方向内方に収縮させるとともに、外部コンタクト２１０とともに回転して外部コンタクト２１０を接栓座（図示せず）に締込み接続する。
【００１５】
図２は、図１に外観のみを示した実施例を軸方向に部分破断して示したものである。
【００１６】
同軸ケーブル１０は、芯線１１の端部を絶縁体１２から露出させてコンタクトピン１０２を半田付けするとともに、編組１３を被覆１４の上に折り返した状態にする。
【００１７】
この同軸ケーブル１０を、シェル１１０に挿入する。シェル１１０は、図示左側中心部に絶縁材製のピンホルダ１０１を保持し、このピンホルダ１０１の中心位置にコンタクトピン１０２を保持する。そして、シェル１１０の図示右側には、同軸ケーブル１０の編組１３が差し込まれて中心位置に固定、保持する。
【００１８】
シェル１１０の外周には、外部コンタクト２１０が同軸コネクタ２０の軸周りを回転可能に嵌装されている。外部コンタクト２１０は、図示左側部分に周方向に４つのスリット２１１によって４つ割りされたテーパ状部２１２があり、図示右側部分がシェル２１０の外周上に、同軸コネクタ２０の軸周りを回転可能に嵌装されている。
【００１９】
さらに、外部コンタクト２１０の外周には、ロックナット２２０が嵌装されている。そして、外部コンタクト２１０およびロックナット２２０の図示左側端は、シェル１１０の外周に軸方向に移動しないように係合したカバー３００によって軸方向の固定がなされている。
【００２０】
ロックナット２２０は、後述するように外部コンタクト２１０と共に同軸コネクタ２０の軸周りを回転可能であり、かつ外部コンタクト２１０に対して軸方向に移動可能に支持されている。すなわち、ロックナット２２０の鍔２２１を図示左側に向かって押すと、内周面で外部コンタクト２１０のテーパ状部２１２を径方向内方に押し込んで外部コンタクト２１０の内周面に設けられたネジ溝が接栓座のネジ溝に深く噛み合うようにする。
【００２１】
次いで、ロックナット２２０の凹凸部２２２を使って、ロックナット２２０および外部コンタクト２１０を同軸コネクタ２０の軸周りに回転させると、外部コンタクト２１０も一緒に回転して接栓座（図示せず）にネジ込み接続される。
【００２２】
図３は、同軸ケーブル１０の端部に組み付けられるシェル１１０、外部コンタクト２１０、ロックナット２２０およびカバー３００を部分断面図として示している。
【００２３】
ここでは、次の2点(a)，(b)をとくに示している。
【００２４】
(a)シェル１１０の外周上に外部コンタクト２１０が配され、外部コンタクト２１０の外周上にロックナット２２０が配される３層構造となっていること。
【００２５】
(b)外部コンタクト２１０のスリット２１１にロックナット２２０の内周に設けられたリブ２２３が嵌合して、ロックナット２２０と外部コンタクト２１０とが一体的に回転しかつ軸方向に移動可能であること。
【００２６】
図４は、図１ないし図３に示した実施例の外部コンタクト２１０およびロックナット２２０を組み合わせたときの左端面図であり、シェル１１０は図示省略している。図示のように、外部コンタクト２１０のスリット２１１には、ロックナット２２０の内周面に設けられたリブ２２３が嵌入しており、この結果、ロックナット２２０を同軸コネクタの周方向に回転させると、外部コンタクト２１０も一体的に回転する。
【００２７】
図５(a)，(b)は、図１ないし図３に示した実施例の接栓座３０への挿脱時、および接続時の部分縦断面を示したものである。ここでは、ロックナット２２０が軸方向に移動することと、それに伴い外部コンタクト２１０の図示左端がどのように収縮していくかということ、とを示している。
【００２８】
図５(a)では、ロックナット２２０は、カバー３００から離間しておらず、ロックナット２２０の図示左端内周が外部コンタクト２１０のテーパ状部２１２の外周面に当接しており、ロックナット２２０の図示左端から外部コンタクト２１０の図示左端が突出している。
【００２９】
したがって、外部コンタクト２１０のスリット２１１は収縮し切っておらず、スリット２１１内にコンタクトピン１０２の幅方向が全体的に見える状態で描かれている。
【００３０】
図５(b)では、ロックナット２２０が外部コンタクト２１０と端面同士が同一位置になっていてロックナット２２０の図示右端とカバー３００との間に隙間が空いており、ロックナット２２０の内周面が外部コンタクト２１０のテーパ状部２１２の図示左端に当接している。
【００３１】
このとき、外部コンタクト２１０の内周面のネジ溝は、接栓座３０の外周面のネジ溝と螺合している。そして、外部コンタクト２１０のスリット２１１は、コンタクトピン１０２の多くの部分を隠すほど狭まっている。
【実施例２】
【００３２】
図６(a)，(b)は、図５(a)，(b)と同様の状態を示しているが、同軸コネクタ２０が１．９Cケーブルより太い５Cケーブル用に構成されたものである点で相違する。この結果、ロックナット２２０は、外周面が工具も使えるように６角ナット状に形成され、カバー３００は、軸方向長が短いものとなっている。他は、上述した１．９Cケーブル用の実施例と同様の構成となっている。
【他の実施例】
【００３３】
ロックナット２２０の外周面に設ける鍔２２１、凹凸部２２２は明確に分離せずに、例えば一体的に指掛かりのよい形状を持ったテーパ状とかラッパ形状等の軸方向および周方向の両方向操作に適する形状に形成する等、適宜変形することもできる。
【００３４】
また、外部コンタクト２１０の内径を接栓座の外径よりも小さくすることにより、同軸コネクタを接栓座に装着する際、ネジ溝同士の嵌合を利用して確実な装着を行なうことができる。
【００３５】
なお、図６に示したような大径ケーブルに用いる同軸コネクタの場合は、シェル１１０の外周に被せた同軸ケーブル１０の被覆１４の径方向外側からかしめ部材で固定するようにしてもよい。
【符号の説明】
【００３６】
１０  同軸ケーブル、１１  芯線、１２  絶縁体、１３  編組、１４  被覆、２０  同軸コネクタ、３０  接栓座、１０１  ピンホルダ、
１０２  コンタクトピン、１１０  シェル、２１０  外部コンタクト、
２１１  スリット、２１２  テーパ状部、２２０  ロックナット、２２１  鍔、２２２  凹凸部、２２３  リブ、３００  カバー。
【図１】
2012234726.tif 000003
【図２】
2012234726.tif 000004
【図３】
2012234726.tif 000005
【図４】
2012234726.tif 000006
【図５】
2012234726.tif 000007
【図６】
2012234726.tif 000008